(57)【特許請求の範囲】
【請求項１】
流体を吐出又は吸引する流体取扱装置であって、
流体を駆動する流体駆動部を備えた本体部と、前記本体部に接続されている把持操作部とを有しており、
前記把持操作部が、グリップ部と、前記流体が吐出又は吸引される流体口と、前記グリップ部と前記流体口との間に延びる延在部とを有しており、
前記把持操作部の少なくとも一部が、前記本体部に取り付けられて前記本体部の取っ手となる取っ手兼用部でもあり、
前記本体部が、前記取っ手兼用部を取り外し可能に取り付けうる取っ手装着部を有しており、
前記取っ手装着部に取り付けられた前記取っ手兼用部が、前記本体部の外形寸法の範囲内に配置されている流体取扱装置。
【請求項２】
流体を吐出又は吸引する流体取扱装置であって、
流体を駆動する流体駆動部を備えた本体部と、前記本体部に接続されている把持操作部とを有しており、
前記把持操作部が、グリップ部と、前記流体が吐出又は吸引される流体口と、前記グリップ部と前記流体口との間に延びる延在部とを有しており、
前記把持操作部の少なくとも一部が、前記本体部に取り付けられて前記本体部の取っ手となる取っ手兼用部でもあり、
前記本体部が、前記取っ手兼用部を取り外し可能に取り付けうる取っ手装着部を有しており、
前記把持操作部が、前記延在部と前記延在部以外の部分とに分解されるように構成されており、
前記延在部の少なくとも一部が、前記取っ手兼用部であり、
前記延在部が、複数の分割体に分割されるように構成されており、
前記複数の分割体が、第１分割体と第２分割体とを含んでおり、
前記第１分割体及び前記第２分割体が、前記取っ手兼用部であり、
前記第１分割体と前記第２分割体とが、互いに平行な状態で前記取っ手装着部に装着される流体取扱装置。
【請求項３】
前記第１分割体が、前記第２分割体側に押圧されることで前記取っ手装着部に嵌め込まれ、
前記第２分割体が、前記第１分割体側に押圧されることで前記取っ手装着部に嵌め込まれる請求項２に記載の流体取扱装置。
【請求項４】
流体を吐出又は吸引する流体取扱装置であって、
流体を駆動する流体駆動部を備えた本体部と、前記本体部に接続されている把持操作部とを有しており、
前記把持操作部が、グリップ部と、前記流体が吐出又は吸引される流体口と、前記グリップ部と前記流体口との間に延びる延在部とを有しており、
前記把持操作部の少なくとも一部が、前記本体部に取り付けられて前記本体部の取っ手となる取っ手兼用部でもあり、
前記本体部が、前記取っ手兼用部を取り外し可能に取り付けうる取っ手装着部を有しており、
前記取っ手装着部が、前記取っ手兼用部の一端部が取り付けられる第１装着部と、前記取っ手兼用部の他端部が取り付けられる第２装着部とを有しており、
前記第１装着部及び前記第２装着部のそれぞれが、嵌め込み部と収容部とを有しており、
前記取っ手兼用部の一端部及び前記取っ手兼用部の他端部が、外形共通部と、外形共通部よりも長手方向外側に位置する終端部とを有しており、
前記外形共通部が前記嵌め込み部に嵌め込まれ、前記終端部が前記収容部に収容される流体取扱装置。
【請求項５】
流体を吐出又は吸引する流体取扱装置であって、
流体を駆動する流体駆動部を備えた本体部と、前記本体部に接続されている把持操作部とを有しており、
前記把持操作部が、グリップ部と、前記流体が吐出又は吸引される流体口と、前記グリップ部と前記流体口との間に延びる延在部とを有しており、
前記把持操作部の少なくとも一部が、前記本体部に取り付けられて前記本体部の取っ手となる取っ手兼用部でもあり、
前記本体部が、前記取っ手兼用部を取り外し可能に取り付けうる取っ手装着部を有しており、
前記流体が水であり、
前記流体駆動部が加圧ポンプであり、
前記把持操作部が吐水ノズルである流体取扱装置。
【請求項６】
前記把持操作部が、前記延在部と前記延在部以外の部分とに分解されるように構成されており、
前記延在部の少なくとも一部が、前記取っ手兼用部である請求項１、４及び５のいずれか１項に記載の流体取扱装置。
【請求項７】
前記延在部が、複数の分割体に分割されるように構成されており、
前記複数の分割体の少なくとも１つが前記取っ手兼用部である請求項６に記載の流体取扱装置。
【請求項８】
前記複数の分割体の全てが前記取っ手兼用部である請求項７に記載の流体取扱装置。
【請求項９】
前記取っ手兼用部が、装着方向に押圧することで前記取っ手装着部の弾性嵌合部に取り付けられ、前記装着方向とは逆方向である取り外し方向に引くことで前記弾性嵌合部から取り外される請求項１から８のいずれか１項に記載の流体取扱装置。
【請求項１０】
第１位置と第２位置との相互移行が可能なカバーを更に有しており、
前記第１位置では、前記カバーは前記取っ手兼用部が前記取っ手装着部から外れるのを阻止しており、
前記第２位置では、前記カバーは前記取っ手装着部への前記取っ手兼用部の着脱を阻害しない請求項１から９のいずれか１項に記載の流体取扱装置。
【請求項１１】
前記本体部から延びる電源コードを更に有しており、
前記本体部が、前記電源コードを巻き付けることができる巻き付け部を有しており、
前記取っ手兼用部が、前記巻き付け部に巻き付けられた前記電源コードの外側に位置する請求項１から１０のいずれか１項に記載の流体取扱装置。
【発明の詳細な説明】
【技術分野】
【０００１】
本開示は、流体を吐出又は吸引する流体取扱装置に関する。
【背景技術】
【０００２】
液体、気体等の流体を吐出又は吸引する流体取扱装置が知られている。この装置は、様々な用途で用いられる。例えば、この装置は、水、薬液、空気などの流体を目標物に向かって吐出するのに用いられる。例えば、この装置は、物体を当該物体の周囲の流体（空気等）と共に吸引するのに用いられる。
【０００３】
特許第６０２５６４７号公報は、液体を加圧するためのポンプユニットを備える本体部と、前記ポンプユニットで加圧された液体を噴射するノズルガンと、前記ポンプユニットと前記ノズルガンとを接続するホースと、を備える洗浄機を開示する。この本体部の側部にホースを巻き付ける巻き枠が設けられており、この巻き枠は、上方に開口が形成されるとともに内部が収納空間として形成されている。
【先行技術文献】
【特許文献】
【０００４】
【特許文献１】特許第６０２５６４７号公報
【発明の概要】
【発明が解決しようとする課題】
【０００５】
流体を吐出又は吸引する装置において、構成要素の一部を本体部の取っ手としても利用することで、様々な効果が生じることが分かった。
【０００６】
本開示は、流体を吐出又は吸引することができ、利便性に優れた流体取扱装置を提供するものである。
【課題を解決するための手段】
【０００７】
一つの態様では、本開示は、流体を吐出又は吸引する流体取扱装置である。この流体取扱装置は、流体を駆動する流体駆動部を備えた本体部と、前記本体部に接続されている把持操作部とを有している。前記把持操作部が、グリップ部と、前記流体が吐出又は吸引される流体口と、前記グリップ部と前記流体口との間に延びる延在部とを有している。前記把持操作部の少なくとも一部が、前記本体部に取り付けられて前記本体部の取っ手となる取っ手兼用部でもある。前記本体部が、前記取っ手兼用部を取り外し可能に取り付けうる取っ手装着部を有する。
【発明の効果】
【０００８】
一つの側面では、把持操作部の一部を本体部の取っ手とすることができる。
【図面の簡単な説明】
【０００９】
【図１】図１は、一実施形態に係る流体取扱装置の斜視図である。
【図２】図２は、図１の流体取扱装置の本体部の斜視図である。図２の本体部には、取っ手兼用部が取り付けられていない。
【図３】図３は、取っ手兼用部が取り付けられた本体部の斜視図である。
【図４】図４は、図３の本体部の平面図である。
【図５】図５は、図３の本体部の側面図である。
【図６】図６（ａ）は図３の本体部の正面図であり、図６（ｂ）は図３の本体部の背面図である。
【図７】図７（ａ）及び図７（ｂ）は図２と同じ斜視図である。ただし、図７（ａ）ではカバーが第１位置であり、図７（ｂ）ではカバーが第２位置である。
【図８】図８（ａ）は図７（ａ）のＡ−Ａ線に沿った断面図であり、図８（ｂ）は図７（ｂ）のＢ−Ｂ線に沿った断面図である。
【図９】図９は、取っ手装着部の斜視図である。
【図１０】図１０（ａ）はカバーの斜視図であり、図１０（ｂ）はカバーの右側面図であり、図１０（ｃ）はカバーの左側面図であり、図１０（ｄ）はカバーの底面図である。
【図１１】図１１は延在部及びこの延在部の分割で得られる２つの分割体の斜視図である。
【図１２】図１２（ａ）は延在部の第１分割体の側面図であり、図１２（ｂ）は延在部の第２分割体の側面図である。
【図１３】図１３は、取っ手装着部の正面図である。
【発明を実施するための形態】
【００１０】
以下、適宜図面が参照されつつ、実施形態が詳細に説明される。
【００１１】
図１は、一実施形態に係る流体取扱装置１００の斜視図である。本実施形態の流体取扱装置１００は、流体を排出する装置である。本実施形態では、流体は液体である。本実施形態では、流体は水である。
【００１２】
流体取扱装置１００は、本体部１０２と、把持操作部１０４とを有する。本実施形態では、本体部１０２が２つに分離している。本体部１０２は、第１の本体部１０６と、第２の本体部１０８とを有する。本体部１０２（本体部１０６）は、ホースを介して水栓に接続されている。本実施形態では、本体部１０２（本体部１０６）が流体駆動部１１０を有する。流体駆動部１１０は、中間部１３４（後述）に内蔵されている。流体駆動部１１０は、水を昇圧するポンプである。このポンプは、加圧ポンプである。第２の本体部１０８は、ホースリールである。把持操作部１０４は、ホースを介して本体部１０２（本体部１０６）に接続されている。ポンプの種類は限定されず、本実施形態では容積式ポンプの一種である往復ポンプ（ダイヤフラムポンプ）が用いられている。なお、本体部１０２は、２つ以上に分離していなくてもよい。また、本体部１０６のみが流体取扱装置１００の本体部とみなされ、ホースリールは本体部から除外されてもよい。
【００１３】
流体取扱装置１００は、水栓に接続して用いられうる。流体取扱装置１００は、散水機（散水ノズル装置）である。流体取扱装置１００は、洗浄機（洗浄ノズル装置）である。流体取扱装置１００は、水道水圧を昇圧して散水できる装置である。水道水圧は、０．１５ＭＰａ以上が基準とされており、典型的には０．２ＭＰａ以上０．３ＭＰａ以下である。昇圧後の水圧は限定されない。本実施形態では、昇圧後の水圧は、例えば０．５ＭＰａ以上３．０ＭＰａ以下、更には０．５ＭＰａ以上１．０ＭＰａ以下とすることができる。流体取扱装置１００は、洗浄、散水などの用途に使用されうる。
【００１４】
本実施形態では、把持操作部１０４は、吐水ノズルである。把持操作部１０４は、グリップ部１１２と、流体口１１４と、延在部１１６とを有する。流体口１１４は、吐水ノズルの吐出口である。
【００１５】
グリップ部１１２は、使用者によって握られる部分である。グリップ部１１２は、操作により吐水と止水とを切り換えうる切替部１１８を有する。切替部１１８は押圧スイッチである。切替部１１８は、オルタネイト動作で、吐水と止水とを切り換える。片手でグリップ部１１２を把持することで、把持操作部１０４の姿勢及び位置を制御しながら、吐止水の切替をすることができる。グリップ部１１２の内部には、流体が通る流路が形成されている。グリップ部１１２の後端部は、ホースを介して本体部１０６に接続されている。グリップ部１１２の先端部は、延在部１１６に接続されている。
【００１６】
流体口１１４では、流体が吐出又は吸引される。本実施形態では、流体口１１４では、水が吐出される。流体口１１４は、グリップ部１１２及び延在部１１６の内部で連通する流路の出口である。流体口１１４は、先端部１２０に形成されている。把持操作部１０４は先端部１２０を有しており、先端部１２０が流体口１１４を有している。先端部１２０は、延在部１１６に、取り外し可能に取り付けられている。先端部１２０は、交換可能である。
【００１７】
延在部１１６は、グリップ部１１２と先端部１２０との間に延びている。延在部１１６は、グリップ部１１２と流体口１１４との間に延びている。延在部１１６は流体を通しうる管状部である。延在部１１６の内部には、グリップ部１１２の内部の流路と連通し流体が通る流路が形成されている。本実施形態では、延在部１１６は真っ直ぐに延びている。延在部１１６は、曲がっていても良い。延在部１１６の第１端（後端）はグリップ部１１２に接続されている。延在部１１６の第１端（後端）は、グリップ部１１２に、取り外し可能に取り付けられている。延在部１１６の第２端（先端）は、先端部１２０に接続されている。延在部１１６の第２端（先端）は、先端部１２０に、取り外し可能に取り付けられている。
【００１８】
延在部１１６により、流体口１１４がグリップ部１１２から離れる。延在部１１６により、把持操作部１０４の長さが確保される。延在部１１６により、狙った場所に流体（水）を噴射することが容易となる。
【００１９】
図２は本体部１０６の斜視図の斜視図である。本体部１０６は、第１端部１３０と、第２端部１３２と、中間部１３４とを有する。中間部１３４は、第１端部１３０と第２端部１３２との間に延びている。中間部１３４は、第１端部１３０と第２端部１３２とを繋いでいる。第１端部１３０は、全体として略三角柱の形状を有する。第２端部１３２は、全体として略三角柱の形状を有する。第１端部１３０と第２端部１３２とは、ほぼ同じ形態を有している。中間部１３４は、全体として略円柱の形状を有する。基準状態（後述）において、第１端部１３０及び第２端部１３２は本体部１０６が載置された水平面に接しており、中間部１３４はこの水平面に接していない。
【００２０】
図３は、取っ手兼用部１４０が取り付けられた本体部１０６の斜視図である。取っ手兼用部１４０は、把持操作部１０４から分離された延在部１１６である。延在部１１６の全体が、取っ手兼用部１４０として用いられている。延在部１１６が第１分割体１１６ａと第２分割体１１６ｂとの２つに分解されている。第１分割体１１６ａと第２分割体１１６ｂとが取っ手兼用部１４０とされている。流体取扱装置１００を使用するときに、取っ手兼用部１４０は延在部１１６として用いられる。流体取扱装置１００を使用しないとき、取っ手兼用部１４０は本体部１０６の取っ手として用いられる。
【００２１】
本体部１０６は、取っ手装着部１５０を有する。取っ手装着部１５０に、取っ手兼用部１４０が取り付けられている。取っ手兼用部１４０は、取っ手装着部１５０に、取り外し可能に取り付けられている。第１分割体１１６ａと第２分割体１１６ｂとが、互いに平行な状態で取っ手装着部１５０に取り付けられている。
【００２２】
図４は、図３の本体部１０６の平面図である。図３及び図４が示すように、本体部１０６には、取っ手兼用部１４０としての延在部１１６に加えて、グリップ部１１２及び先端部１２０が取り付けられている。また流体取扱装置１００は、交換用の先端部１２２を有している。把持操作部１０４において、第１の先端部１２０と第２の先端部１２２とは、交換可能である。この交換により、流体口１１４の形状を変えることができ、吐出された液体の形状（水形）を変えることができる。先端部１２０に加えて先端部１２２も本体部１０６に取り付けられている。
【００２３】
把持操作部１０４は複数の分割体に分割されるように構成されている。これらの分割体は、第１分割体１１６ａ、第２分割体１１６ｂ、グリップ部１１２及び先端部１２０である。またグリップ部１１２はホースに取り外し可能に結合されている。把持操作部１０４の分割体の全てが、本体部１０６に取り付けられうる。これらの分割体同士は、取り外し可能に結合されている。分割体同士は、ネジ結合、弾性係合等、公知の方法で結合されている。把持操作部１０４の分解及び再組み立ては容易である。
【００２４】
本体部１０６には、電源コード１６０が接続されている。電源コード１６０は、プラグ部１６０ａと電線部１６０ｂとを有している。本体部１０６は、電源コード１６０を巻き付けることができる巻き付け部１６２を有している。巻き付け部１６２は、中間部１３４に形成されている。巻き付け部１６２は中間部１３４の外面（外周面）である。
【００２５】
本体部１０６は、電源スイッチ１７０と、流体入口１７２と、流体出口１７４とを有する。電源スイッチ１７０は、流体駆動部１１０に対する電源のオンとオフとを切り換える。流体入口１７２はホースを介して水栓に接続されている。流体出口１７４はホースを介して把持操作部１０４に接続されている。流体入口１７２及び流体出口１７４には、ホースとの接続を容易とする継手１７６が取り付けられている。これらの継手１７６は、本体部１０６に含まれない。
【００２６】
本体部１０６は、取っ手装着部１５０を覆うカバー１８０を有する。カバー１８０は、取っ手兼用部１４０が外れるのを防止しうる。
【００２７】
図５は、本体部１０６の側面図である。図６（ａ）は、本体部１０６の正面図である。図６（ｂ）は、本体部１０６の背面図である。図４、図５、図６（ａ）及び図６（ｂ）では、本体部１０６に取っ手兼用部１４０が取り付けられている。更に、図４、図５、図６（ａ）及び図６（ｂ）では、本体部１０６にグリップ部１１２、先端部１２０及び先端部１２２が取り付けられている。
【００２８】
取っ手装着部１５０に取り付けられた取っ手兼用部１４０は、本体部１０６の外形寸法の範囲内に配置されている。本体部１０６の外形寸法は、本体部１０６の全体を包囲する直方体（包囲直方体）であって体積が最小のもの（最小包囲直方体）により画定される。図４、図５、図６（ａ）及び図６（ｂ）には、この最小包囲直方体ＲＰ１が２点鎖線で示されている。取っ手装着部１５０に取り付けられた取っ手兼用部１４０の全体が、この最小包囲直方体ＲＰ１の内側に位置する。
【００２９】
なお、複数の最小包囲直方体ＲＰ１が存在する場合、全ての最小包囲直方体ＲＰ１が、取っ手装着部１５０に取り付けられた取っ手兼用部１４０の全体を包囲しているのが好ましい。
【００３０】
好ましくは、本体部１０６が水平面に載置された基準状態において、最小包囲直方体ＲＰ１を構成する６つの長方形のうちの１つが、前記水平面に面接触している。基準状態とは、本体部１０６が水平面上に安定的に載置され、且つ、取っ手兼用部１４０の全体が本体部１０６の重心よりも上側にある状態Ｘである。この状態Ｘが複数存在する場合、状態Ｘのうち、本体部１０６の重心が最も低い状態が、基準状態とされる。
【００３１】
なお、最小包囲直方体ＲＰ１の設定において、本体部１０６における可動部は、包囲直方体が最も小さくなる位置とされる。本体部１０６においてこの可動部はカバー１８０である。カバー１８０の動きについては、後述される。本体部１０６の重心の決定においても、この可動部は、最小包囲直方体ＲＰ１の体積を最小とする位置とされる。本実施形態では、最小包囲直方体ＲＰ１の設定において、可動部であるカバー１８０は第１位置Ｐ１とされる。第１位置Ｐ１については、後述される。
【００３２】
最小包囲直方体ＲＰ１の設定において、易変形部は、本体部１０６から除外される。易変形部とは、自重により変形する部分である。易変形部の例として、ホース及び電線が挙げられる。
【００３３】
このように、本体部１０６では、取っ手装着部１５０に取り付けられた取っ手兼用部１４０が、本体部１０６の外形寸法の範囲内に配置されている。更に、グリップ部１１２が、本体部１０６の外形寸法の範囲内に取り付けられている。更に、（第１の）先端部１２０が、本体部１０６の外形寸法の範囲内に取り付けられている。更に、（第２の）先端部１２２が、本体部１０６の外形寸法の範囲内に取り付けられている。把持操作部１０４の分割体の全てが、本体部１０６の外形寸法の範囲内に取り付けられている。
【００３４】
図６（ａ）及び図６（ｂ）が示すように、取っ手装着部１５０に取り付けられた取っ手兼用部１４０は、本体部１０６の正面図及び背面図において見えない位置に配置されている。これらの図において、取っ手兼用部１４０は、第１端部１３０又は第２端部１３２に隠れている。中間部１３４は、本体部１０６の正面図及び背面図において見えない位置に配置されている。
【００３５】
ここで、最小包囲直方体ＲＰ１における最も長い辺の方向が、前後方向とされる。本体部１０６の正面図及び背面図は、この前後方向における本体部１０６の投影図である。本体部１０６の前方への投影像が投影像Ｐｘとされ、本体部１０６の後方への投影像が投影像Ｐｙとされるとき、投影像Ｐｘは、正面図（図６（ａ））及び背面図（図６（ｂ））の一方であり、投影像Ｐｙは正面図（図６（ａ））及び背面図（図６（ｂ））の他方である。
【００３６】
中間部１３４は、前記正面図及び前記背面図において視認されない。すなわち、中間部１３４は、投影像Ｐｘ及び投影像Ｐｙにおいて視認されない。取っ手装着部１５０に取り付けられた取っ手兼用部１４０は、前記正面図及び前記背面図において視認されない。すなわち、取っ手装着部１５０に取り付けられた取っ手兼用部１４０は、投影像Ｐｘ及び投影像Ｐｙにおいて視認されない。
【００３７】
巻き付け部１６２に巻き付けられることで、電源コード１６０は、本体部１０６の外形寸法の範囲内に配置されうる。取っ手兼用部１４０は、巻き付け部１６２に巻き付けられた１６０の外側に位置する。巻き付け部１６２に巻き付けられた電源コード１６０は、巻き付け部１６２と取っ手兼用部１４０との間に位置する。巻き付けが解けようとするとき、電源コード１６０が取っ手兼用部１４０に当たる。取っ手兼用部１４０は、電源コード１６０の巻き付けが解けるのを阻害している。
【００３８】
電源コード１６０の電線部１６０ｂのうち、巻き付け部１６２に巻き付けられている部分は、最小包囲直方体ＲＰ１に包囲されている。電源コード１６０は、その電線部１６０ｂの全体が最小包囲直方体ＲＰ１の内側に収まる状態で、巻き付け部１６２に巻き付けられうる。電源コード１６０は、その電線部１６０ｂの全体が前記投影像Ｐｘ及び前記投影像Ｐｙにおいて視認されない状態で、巻き付け部１６２に巻き付けられうる。電源コード１６０は、その全体が最小包囲直方体ＲＰ１の内側に収まる状態で、巻き付け部１６２に巻き付けられうる。電源コード１６０は、その全体が前記投影像Ｐｘ及び前記投影像Ｐｙにおいて視認されない状態で、巻き付け部１６２に巻き付けられうる。
【００３９】
図７（ａ）及び図７（ｂ）は、本体部１０６の斜視図である。図７（ａ）及び図７（ｂ）では、取っ手兼用部１４０が取り付けられておらず、グリップ部１１２、先端部１２０及び先端部１２２も取り付けられていない。また図７（ａ）及び図７（ｂ）では、継手１７６が取り外されている。
【００４０】
図７（ａ）及び図７（ｂ）は、カバー１８０の動きを示している。図７（ａ）では、カバー１８０は第１位置Ｐ１にある。図７（ｂ）では、カバー１８０は第２位置Ｐ２にある。カバー１８０は、第１位置Ｐ１と第２位置Ｐ２との相互移行が可能な状態で、取っ手装着部１５０に取り付けられている。
【００４１】
取っ手装着部１５０は、第１装着部１５２と、第２装着部１５４とを有する。第１装着部１５２と第２装着部１５４とは、所定の離間距離をおいて配置されている。第１装着部１５２は、第１端部１３０側に設けられている。第２装着部１５４は、第２端部１３２側に設けられている。第１装着部１５２には、取っ手兼用部１４０の一端部が取り付けられる。第２装着部１５４には、取っ手兼用部１４０の他端部が取り付けられる。第１装着部１５２には、第１分割体１１６ａ及び第２分割体１１６ｂの一端部が取り付けられる。第２装着部１５４には、第１分割体１１６ａ及び第２分割体１１６ｂの他端部が取り付けられる。
【００４２】
カバー１８０は、第１カバー１８２と、第２カバー１８４とを有する。第１カバー１８２は、第１装着部１５２に取り付けられている。第２カバー１８４は、第２装着部１５４に取り付けられている。
【００４３】
図８（ａ）は、図７（ａ）のＡ−Ａ線に沿った断面図である。図８（ｂ）は、図７（ｂ）のＢ−Ｂ線に沿った断面図である。なお、図８（ａ）及び図８（ｂ）は第１カバー１８２の断面であるが、第２カバー１８４の断面も同じである。図９は、取っ手装着部１５０（第１装着部１５２、第２装着部１５４）の斜視図である。図１０（ａ）はカバー１８０（第１カバー１８２、第２カバー１８４）の斜視図であり、図１０（ｂ）はカバー１８０（第１カバー１８２、第２カバー１８４）の右側面図であり、図１０（ｃ）はカバー１８０（第１カバー１８２、第２カバー１８４）の左側面図であり、図１０（ｄ）はカバー１８０（第１カバー１８２、第２カバー１８４）の底面図である。
【００４４】
前述の通り、カバー１８０は、図７（ａ）及び図８（ａ）に示される第１位置Ｐ１と、図７（ｂ）及び図８（ｂ）に示される第２位置Ｐ２とを採ることができる。カバー１８０は、第１位置Ｐ１と第２位置Ｐ２との相互移行が可能である。本実施形態では、第１位置Ｐ１は下側位置であり、第２位置Ｐ２は上側位置である。カバー１８０では、第１位置Ｐ１及び第２位置Ｐ２が保持されうる。カバー１８０の自重に抗して、第２位置Ｐ２が保持されうる。第１位置Ｐ１と第２位置Ｐ２との間の相互移行は、外力により達成される。典型的には、この外力は手から付与される。
【００４５】
第１位置Ｐ１と第２位置Ｐ２との間のカバー１８０の移動は、スライド移動である。取っ手装着部１５０とカバー１８０とはスライド係合している。このスライド係合は、スライド溝とスライド突起との係合である。図９が示すように、取っ手装着部１５０はスライド溝１９０を有している。図１０（ｄ）が示すように、カバー１８０はスライド突起１９２を有している。スライド溝１９０とスライド突起１９２とが係合している。カバー１８０は、その姿勢を維持したまま、第１位置Ｐ１と第２位置Ｐ２とを結ぶ方向（上下方向）にスライド移動しうる。
【００４６】
図８（ａ）及び図８（ｂ）がよく示すように、取っ手装着部１５０は、第１受入れ部２００と第２受入れ部２０２とを有する。第１装着部１５２及び第２装着部１５４のそれぞれが、第１受入れ部２００と第２受入れ部２０２とを有する。第１受入れ部２００と第２受入れ部２０２とは、互いに向き合っている。第１受入れ部２００は、第２受入れ部２０２側に向かって凹む凹部を形成している。第２受入れ部２０２は、第１受入れ部２００側に向かって凹む凹部を形成している。第１受入れ部２００に、第１分割体１１６ａ又は第２分割体１１６ｂの一方が装着される。第２受入れ部２０２に、第１分割体１１６ａ又は第２分割体１１６ｂの他方が装着される。
【００４７】
図９が示すように、本体部１０６（取っ手装着部１５０）は、保持係合部２１０を有する。図９では第１受入れ部２００側の保持係合部２１０のみが示されているが、第２受入れ部２０２側にも保持係合部２１０が設けられている（図８（ａ）及び図８（ｂ）参照）。本実施形態の保持係合部２１０は、突起である。
【００４８】
図９が示すように、本体部１０６（取っ手装着部１５０）は、外れ止め係合部２１２を有する。図９では第１受入れ部２００側の外れ止め係合部２１２のみが示されているが、第２受入れ部２０２側にも外れ止め係合部２１２が設けられている（図８（ａ）及び図８（ｂ）参照）。本実施形態の外れ止め係合部２１２は、突起である。外れ止め係合部２１２は、保持係合部２１０の上側に設けられている。
【００４９】
図８（ａ）、図８（ｂ）及び図１０（ａ）が示すように、カバー１８０は、係合部２１４を有する。本実施形態では、係合部２１４は突起である。また、カバー１８０は、係合回避部２１６を有する。本実施形態では、係合回避部２１６は開口部（窓部）である。係合回避部２１６は、係合部２１４の上側に設けられている。
【００５０】
図７（ａ）及び図８（ａ）が示すように、カバー１８０が第１位置Ｐ１にあるとき、カバー１８０はスライド移動の下限位置にある。カバー１８０が第１位置Ｐ１にあるとき、保持係合部２１０は係合部２１４に係合していない。カバー１８０が第１位置Ｐ１にあるとき、外れ止め係合部２１２は係合部２１４に係合していない。
【００５１】
図７（ｂ）及び図８（ｂ）が示すように、カバー１８０が第２位置Ｐ２にあるとき、保持係合部２１０が係合部２１４に係合している。この係合により、カバー１８０の自重に抗して、カバー１８０の第２位置Ｐ２が維持される。第１位置Ｐ１にあるカバー１８０を第２位置Ｐ２側（上側）に動かすことで、係合部２１４は保持係合部２１０を乗り越えて、カバー１８０の自重により保持係合部２１０と当接する。カバー１８０の上限位置は、係合部２１４と外れ止め係合部２１２との係合により規制されている。係合部２１４と外れ止め係合部２１２との係合により、カバー１８０が取っ手装着部１５０から外れることが抑制されている。第１位置Ｐ１から第２位置Ｐ２までの間において、外れ止め係合部２１２とカバー１８０との係合は、係合回避部２１６によって回避されている。第１位置Ｐ１と第２位置Ｐ２との間のカバー１８０の移動は円滑である。
【００５２】
図１０（ａ）から（ｄ）が示すように、カバー１８０は、第１部分２２０と第２部分２２２とを有する。基準状態の本体部１０６において、第１部分２２０は中間部１３４の上側に位置する。基準状態の本体部１０６において、第２部分２２２は、端部１３０、１３２の上側に位置する。第１部分２２０は、カバー１８０が操作されるときに手によって持たれる部分となる。第２部分２２２は、第１部分２２０とは異なる外形を有する。本体部１０６が第１位置Ｐ１にあるとき、第２部分２２２の外形は端部１３０、１３２の外形に同調している。係合部２１４及び係合回避部２１６は、第１部分２２０に設けられている。
【００５３】
図１１は、延在部１１６の斜視図である。図１２（ａ）は第１分割体１１６ａの側面図であり、図１２（ｂ）は第２分割体１１６ｂの側面図である。前述の通り、把持操作部１０４は、延在部１１６とこの延在部１１６以外の部分とに分解される。よって延在部１１６は、把持操作部１０４から分離される。更に延在部１１６は、第１分割体１１６ａと第２分割体１１６ｂとに分割される。
【００５４】
このように、延在部１１６の複数の分割体は、第１分割体１１６ａと第２分割体１１６ｂとを含む。本実施形態では、延在部１１６の分割数が２である。延在部１１６は分割できなくてもよい。延在部１１６の分割数は、３であってもよく、４以上であってもよい。この分割数は、把持操作部１０４における好ましい延在部１１６の長さと、取っ手兼用部１４０として好ましい長さとを考慮して決定されうる。
【００５５】
第１分割体１１６ａは、非外形共通部２３０と、外形共通部２３２とを有する。外形共通部２３２の外面の断面形状は円である。非外形共通部２３０は、外形共通部２３２と異なる外形を有する。第１分割体１１６ａの一端部（先端部）に、非外形共通部２３０が形成されている。非外形共通部２３０は、断面非円形の部分と、断面の外径が外形共通部２３２と異なる異径部とを含む。
【００５６】
第２分割体１１６ｂは、非外形共通部２３４と、外形共通部２３２とを有する。外形共通部２３２の外形は、第１分割体１１６ａの外形共通部２３２と同じである。非外形共通部２３４は、外形共通部２３２と異なる外形を有する。第２分割体１１６ｂの一端部（先端部）及び他端部（後端部）に、非外形共通部２３４が形成されている。非外形共通部２３４は、断面非円形の部分と、断面の外径が外形共通部２３２と異なる異径部とを含む。
【００５７】
なお、第１当接部１１６の非外形共通部２３０と、第２分割体１１６ｂの先端側の非外形共通部２３４とは、同じ形状である。図面上では同じ形状に見えないが、これは図示における位相が９０°相違しているためである。よって、第２分割体１１６ｂに先端部１２０を接続することができる。この結果、把持操作部は、第１分割体１１６ａを除いた構成とすることも可能である。すなわち、グリップ部１１２の先端側に第２分割体１１６ｂを接続し、第２分割体１１６ｂの先端側に先端部１２０を接続することでも、把持操作部が構成されうる。この把持操作部は、図１に示される把持操作部１０４よりも短い。
【００５８】
図１３は、取っ手装着部１５０の正面図である。図１３は、本体部１０６の中心側から取っ手装着部１５０を見た図である。図１３において２点鎖線で示されるのは、外形共通部２３２の外面である。取っ手兼用部１４０となる全ての分割体１１６ａ、１１６ｂにおいて、外形共通部２３２は共通の外形を有する。
【００５９】
外形共通部２３２は、少なくとも、分割体１１６ａ、１１６ｂの両端部に設けられている。外形共通部２３２は、取っ手兼用部１４０の一端部及び取っ手兼用部１４０の他端部に設けられている。本実施形態では、外形共通部２３２の外形が円周面である。
【００６０】
機能的観点からは、延在部１１６（第１分割体１１６ａ、第２分割体１１６ｂ）は、パイプを構成する主部ｍ１と、隣接部材と接続されるジョイント部ｊ１とを有する。非外形共通部２３０、２３４は、ジョイント部ｊ１である。第１分割体１１６ａの両端部はジョイント部ｊ１である。第２分割体１１６ｂの両端部はジョイント部ｊ１である。
【００６１】
図８及び図９で説明した通り、取っ手装着部１５０は、第１受入れ部２００と第２受入れ部２０２とを有する。第１受入れ部２００に、第１分割体１１６ａ又は第２分割体１１６ｂの一方が装着される。第２受入れ部２０２に、第１分割体１１６ａ又は第２分割体１１６ｂの他方が装着される。
【００６２】
図９が示すように、第１受入れ部２００は、嵌め込み部２４０を有する。また、第２受入れ部２０２は、嵌め込み部２４２を有する。嵌め込み部２４０は、嵌め込み部２４２側に向かって凹む凹部を形成している。嵌め込み部２４２は、嵌め込み部２４０側に向かって凹む凹部を形成している。嵌め込み部２４０、２４２は、弾性嵌合部２４４の例である。弾性嵌合部２４４は、弾性変形により拡げられて取っ手兼用部１４０を受け入れ、この弾性変形が元に戻ろうとする力（弾性回復力）により取っ手兼用部１４０を保持する。
【００６３】
図１３が示すように、第１受入れ部２００への分割体１１６ａ、１１６ｂの装着では、分割体１１６ａ、１１６ｂに、第２受入れ部２０２側への押圧力Ｆ１１を付与する。
【００６４】
嵌め込み部２４０は、開口２４０ａと、導入部２４０ｂと、くびれ部２４０ｃと、保持部２４０ｄとを有する。開口２４０ａは、外形共通部２３２の外径よりも大きな幅を有している。導入部２４０ｂの幅は、開口２４０ａからくびれ部２４０ｃに向かって徐々に狭くなっている。くびれ部２４０ｃの幅Ｗ１は、外形共通部２３２の外径よりも小さい。保持部２４０ｄは、くびれ部２４０ｃよりも奥側に位置している。保持部２４０ｄは、嵌め込み部２４０において最も奥側に位置する。嵌め込み部２４０の奥側は、嵌め込み部２４２側である。保持部２４０ｄは、外形共通部２３２の外面の断面形状に対応した略円弧形状を有している。外形共通部２３２は、開口２４０ａから嵌め込み部２４０に入り、嵌め込み部２４０を弾性変形させてくびれ部２４０ｃの幅Ｗ１を拡げつつくびれ部２４０ｃを乗り越え、保持部２４０ｄに到達する。外形共通部２３２が保持部２４０ｄにある状態で、嵌め込み部２４０の弾性変形は完全に解消されていない。保持部２４０ｄの内寸は、外形共通部２３２の外径の１．０倍以上１．０５倍以下に設定されるのが好ましい。保持部２４０ｄにある外形共通部２３２は、弾性力（弾性収縮力）により嵌め込み部２４０に保持されている。
【００６５】
第２受入れ部２０２への分割体１１６ａ、１１６ｂの装着では、分割体１１６ａ、１１６ｂに、第１受入れ部２００側への押圧力Ｆ１２を付与する。
【００６６】
嵌め込み部２４２は、開口２４２ａと、導入部２４２ｂと、くびれ部２４２ｃと、保持部２４２ｄとを有する。開口２４２ａは、外形共通部２３２の外径よりも大きな幅を有している。導入部２４２ｂの幅は、開口２４２ａからくびれ部２４２ｃに向かって徐々に狭くなっている。くびれ部２４２ｃの幅Ｗ１は、外形共通部２３２の外径よりも小さい。保持部２４２ｄは、くびれ部２４２ｃよりも奥側に位置している。保持部２４２ｄは、嵌め込み部２４２において最も奥側に位置する。嵌め込み部２４２の奥側は、嵌め込み部２４０側である。保持部２４２ｄは、外形共通部２３２の外面の断面形状に対応した略円弧形状を有している。外形共通部２３２は、開口２４２ａから嵌め込み部２４２に入り、嵌め込み部２４２を弾性変形させてくびれ部２４２ｃの幅Ｗ１を拡げつつくびれ部２４２ｃを乗り越え、保持部２４２ｄに到達する。外形共通部２３２が保持部２４０ｄにある状態で、嵌め込み部２４２の弾性変形は完全に解消されていない。保持部２４０ｄの内寸は、外形共通部２３２の外径の１．０倍以上１．０５倍以下が好ましい。保持部２４２ｄにある外形共通部２３２は、弾性力により嵌め込み部２４２に保持されている。
【００６７】
このように、装着方向への押圧により、取っ手兼用部１４０は、取っ手装着部１５０を弾性変形させつつ取っ手装着部１５０に取り付けられる。装着性及び取り外し性と外れにくさとの観点から、くびれ部２４０ｃ、２４２ｃの幅Ｗ１は、外形共通部２３２の外径の０．９倍以上０．９５倍以下が好ましい。幅Ｗ１は、外形共通部２３２が保持部２４０ｄ、２４２ｄに嵌め込まれていない状態で測定される。
【００６８】
このように、第１分割体１１６ａは、第２分割体１１６ｂ側に押圧されることで取っ手装着部１５０（第１装着部１５２、第２装着部１５４）に嵌め込まれている。また、第２分割体１１６ｂは、第１分割体１１６ａ側に押圧されることで、取っ手装着部１５０（第１装着部１５２、第２装着部１５４）に嵌め込まれている。取っ手装着部１５０に装着されるときの分割体１１６ａ、１１６ｂの移動方向が、装着方向とも称される。装着方向は、嵌め込み部２４０、２４２の奥側に向かう方向である。分割体１１６ａ、１１６ｂを装着方向に押圧する（押し込む）だけで、分割体１１６ａ、１１６ｂは受入れ部２００、２０２に固定される。受入れ部２００、２０２（嵌め込み部２４０、２４２）の弾性変形により、この嵌め込みが達成されている。また、分割体１１６ａ、１１６ｂを取り外し方向に引くだけで、分割体１１６ａ、１１６ｂは受入れ部２００、２０２から取り外される。取り外し方向は、装着方向と逆の方向である。取っ手兼用部１４０は、装着方向に押圧することで取っ手装着部１５０に取り付けられている。取っ手兼用部１４０は、取り外し方向に引くことで取っ手装着部１５０から取り外される。
【００６９】
図９がよく示すように、第１受入れ部２００は、非外形共通部２３０、２３４を収容しうる収容部２５０を有する。図９ではほとんど見えないが、第２受入れ部２０２も、収容部２５０を有する（図８（ａ）及び図８（ｂ）参照）。外形共通部２３２が保持部２４０ｄ、２４２ｄに保持された状態において、収容部２５０は非外形共通部２３０、２３４を収容しうる。各収容部２５０は、係止面２５０ａを有している（図９参照）。
【００７０】
図１２（ａ）及び図１２（ｂ）を参照して、取っ手兼用部１４０（第１分割体１１６ａ、第２分割体１１６ｂ）の両端部のそれぞれは、外形共通部２３２と、外形共通部２３２よりも長手方向外側に位置する終端部２５２を有している。終端部２５２は、端面２５２ａを有している。この長手方向とは、取っ手兼用部１４０の長手方向である。長手方向内側が取っ手兼用部１４０の中央側であり、長手方向外側は取っ手兼用部１４０の両端側である。非外形共通部２３０、２３４は、終端部２５２の例である。本実施形態では、終端部２５２はジョイント部ｊ１である。終端部２５２の外形は、外形共通部２３２と異なっていても良いし、外形共通部２３２と同じであってもよい。これらの終端部２５２が、収容部２５０に収容される。嵌め込み部２４０，２４２における固定の確実性の観点から、収容部２５０は、終端部２５２における端面２５２ａ以外の部分に当接しないように構成されているのが好ましい。
【００７１】
図７（ａ）及び図８（ａ）が示すように、第１位置Ｐ１のカバー１８０は、取っ手装着部１５０（受入れ部２００、２０２）の開口２４０ａ、２４２ａを塞ぐ。第１位置Ｐ１のカバー１８０は、取り外し方向への分割体１１６ａ、１１６ｂの移動を防止しうる。一方、図７（ｂ）及び図８（ｂ）が示すように、第２位置Ｐ２では、取っ手装着部１５０（受入れ部２００、２０２）の開口２４０ａ、２４２ａが開放されている。カバー１８０は、分割体１１６ａ、１１６ｂの装着を阻害しない。このように、第１位置Ｐ１では、カバー１８０は取っ手兼用部１４０が取っ手装着部１５０から外れるのを阻止している。第２位置Ｐ２では、カバー１８０は取っ手装着部１５０への取っ手兼用部１４０の着脱を阻害しない。
【００７２】
［効果］
以上のような流体取扱装置１００は、以下の効果を奏する。
【００７３】
流体取扱装置１００では、把持操作部１０４の一部が本体部１０６の取っ手となる。このため、本体部１０６に取っ手部分を設ける必要がない。このため、部品点数が低減され、本体部１０６が軽量化される。
【００７４】
流体取扱装置１００では、把持操作部１０４の一部である取っ手兼用部１４０は、本体部１０６の外形寸法の範囲内に配置されている。このため、取っ手装着部部分によって本体部１０６が大きくなることが抑制される。
【００７５】
流体取扱装置１００では、把持操作部１０４の一部が本体部１０６の取っ手として利用される。このため、流体取扱装置１００の収納時において把持操作部１０４が小さくなり、流体取扱装置１００を収納するためのスペースを小さくすることができる。すなわち、流体取扱装置１００の収納性が高まる。
【００７６】
取っ手部分の取り外しが可能であるため、本体部１０６の巻き付け部１６２への電源コード１６０の巻き付けが容易である。また、電源コード１６０の電線部１６０ｂを本体部１０６の外形寸法の範囲内に巻き付けることができる。よって、流体取扱装置１００の収納性が高まる。
【００７７】
取っ手兼用部１４０は、巻き付け部１６２に巻き付けられた電源コード１６０の外側に位置する。電源コード１６０の巻き付けが解けようとすると、電源コード１６０は取っ手兼用部１４０に当たる。取っ手兼用部１４０により、電源コード１６０の巻き付けが解けにくい。
【００７８】
図１３において両矢印Ｓ１で示されているのは、巻き付け部１６２と取っ手兼用部１４０との間の最短距離である。取っ手兼用部１４０の持ちやすさの観点から、距離Ｓ１は２５ｍｍ以上が好ましく、３０ｍｍ以上がより好ましく、３５ｍｍ以上がより好ましい。取っ手兼用部１４０を本体部１０６の外形寸法の範囲内とする観点から、距離Ｓ１は、５０ｍｍ以下が好ましく、４５ｍｍ以下がより好ましく、４０ｍｍ以下がより好ましい。なお上記実施形態では、最短距離Ｓ１は、取っ手兼用部１４０の長手方向の位置に関わらず一定である。このため、電源コード１６０の巻き付け位置に関わらず、持ちやすさの効果が奏される。
【００７９】
流体取扱装置１００では、分解された延在部１１６が取っ手兼用部１４０として利用されている。このため、把持操作部１０４において延在部１１６の長さを確保しつつ、取っ手兼用部１４０の長さを調整することができる。
【００８０】
流体取扱装置１００では、取っ手兼用部１４０を設置する際に、把持操作部１０４は、延在部１１６と延在部１１６以外の部分とに分解される。この分解により、無意識のうちに水抜きが達成される。更に、延在部１１６が分解されるため、水抜きが更に促進される。水抜きがなされると、凍結破損が防止される。更に、この分解では、グリップ部１１２及び先端部１２０も分離され、これらの部材でも水抜きが達成される。
【００８１】
流体取扱装置１００では、２本の分割体１１６ａ、１１６ｂが取っ手として用いられている。このため、１本の延在部１１６が取っ手となっている場合に比較して、取っ手の剛性及び強度が高まる。換言すれば、延在部１１６に要求される剛性及び強度を抑制することができ、延在部１１６の設計自由度が向上する。この結果、延在部１１６の軽量化が可能となり、把持操作部１０４が軽量化されうる。
【００８２】
流体取扱装置１００では、第１分割体１１６ａと第２分割体１１６ｂとが互いに平行な状態で取っ手装着部１５０に装着されている。このため、延在部１１６が細くても、取っ手としての持ちやすい太さが確保されうる。この結果、延在部１１６の軽量化が可能となり、把持操作部１０４が軽量化されうる。
【００８３】
流体取扱装置１００では、第１分割体１１６ａと第２分割体１１６ｂとが互いに平行な状態で取っ手装着部１５０に装着されている。取っ手兼用部１４０が握られると、第１分割体１１６ａが第２分割体１１６ｂ側に向かう力Ｆ２１を受け、第２分割体１１６ｂは第１分割体１１６ａ側に向かう力Ｆ２２を受ける（図１３参照）。これらの力Ｆ２１及びＦ２２の方向は、前記装着方向である。よって、取っ手兼用部１４０を把持することで分割体１１６ａ、１１６ｂの装着が確実となり、把持中における取っ手兼用部１４０の外れが防止される。
【００８４】
図４において両矢印Ｄ１で示されるのは、取っ手装着部１５０に装着された取っ手兼用部１４０の把持部横断幅である。幅Ｄ１は、第１装着部１５２と第２装着部１５４との間の部分において測定される。この把持部横断幅Ｄ１は、取っ手兼用部１４０の長手方向に対して垂直な断面において測定される（図１３参照）。この断面において、取っ手兼用部１４０の全体を挟み込む互いに平行な２本の直線Ｌ１、Ｌ２が設定される（図１３参照）。この直線Ｌ１と直線Ｌ２との間隔の最大値が、把持部横断幅Ｄ１である。握りやすさの観点から、横断幅Ｄ１は、２５ｍｍ以上が好ましく、３０ｍｍ以上がより好ましく、３５ｍｍ以上がより好ましい。握りやすさの観点から、横断幅Ｄ１は、６０ｍｍ以下が好ましく、５０ｍｍ以下がより好ましく、４０ｍｍ以下がより好ましい。
【００８５】
図４において両矢印Ｄ２で示されているのは、第１分割体１１６ａと第２分割体１１６ｂとの間隔である。幅Ｄ２は、第１装着部１５２と第２装着部１５４との間の部分において測定される。この間隔Ｄ２が過小であると、第１受入れ部２００と第２受入れ部２０２との間の壁部２６０（図８（ａ）及び図８（ｂ）参照）が薄くなり、取っ手装着部１５０の強度が低下しうる。また、間隔Ｄ２を大きくすることで、延在部１１６が細い場合に、横断幅Ｄ１を好ましい値に設定することができる。これらの観点から、間隔Ｄ２は、２．５ｍｍ以上が好ましく、３．０ｍｍ以上がより好ましく、３．５ｍｍ以上がより好ましい。握りやすさの観点から、横断幅Ｄ２は、５．０ｍｍ以下が好ましく、４．５ｍｍ以下がより好ましく、４．０ｍｍ以下がより好ましい。ただし、取っ手装着部１５０の構造次第で、間隔Ｄ２を０ｍｍとすることも可能である。
【００８６】
図４において両矢印Ｄ３で示されているのは、両側の弾性嵌合部２４４同士の間隔である。延在部１１６の長さを確保する観点及び握りやすさの観点から、間隔Ｄ３は、１１０ｍｍ以上が好ましく、１３０ｍｍ以上がより好ましく、１５０ｍｍ以上がより好ましい。間隔Ｄ３が過大であると、取っ手兼用部１４０に要求される剛性及び強度が過大となり、取っ手兼用部１４０の設計自由度が低下する。この観点から、間隔Ｄ３は、２２００ｍｍ以下が好ましく、２１５０ｍｍ以下がより好ましく、２１００ｍｍ以下がより好ましい。
【００８７】
図１２（ａ）及び図１２（ｂ）において両矢印Ｄ４で示されるのは、延在部１１６の分割体（第１分割体１１６ａ、第２分割体１１６ｂ）の長さ（長手方向長さ）である。取っ手装着部１５０への固定性の観点から、差（Ｄ４−Ｄ３）は、３０ｍｍ以上が好ましく、４０ｍｍ以上がより好ましく、５０ｍｍ以上がより好ましい。本体部１０６の寸法を考慮すると、過大な長さＤ４は好ましくない。この観点から、差（Ｄ４−Ｄ３）は、１２０ｍｍ以下が好ましく、１１０ｍｍ以下がより好ましく、１００ｍｍ以下がより好ましい。
【００８８】
第１分割体１１６ａの長さと第２分割体１１６ｂの長さとは略同一であるのが好ましい。この長さの相違が大きい場合、第１分割体１１６ａと第２分割体１１６ｂとを入れ替えて装着することができない場合が生じ、装着作業に分かりづらさが生ずる。第１分割体１１６ａの長さＤ４がＤ４１とされ、第２分割体１１６ｂの長さＤ４がＤ４２とされるとき、Ｄ４１／Ｄ４２は０．９５以上１．０５以下が好ましく、０．９８以上１．０２以下がより好ましく、０．９９以上１．０１以下がより好ましく、１．００がより好ましい。
【００８９】
前述の通り、収容部２５０（取っ手装着部１５０）は係止面２５０ａを有している（図９参照）。第１装着部１５２が第１の係止面２５０ａを有しており、第２装着部１５４が第２の係止面２５０ａを有している。取っ手兼用部１４０（第１分割体１１６ａ、第２分割体１１６ｂ）が取っ手装着部１５０に装着された装着状態において、両側の係止面２５０ａのいずれかに、両側の端面２５２ａのいずれかが当接しうる。前記装着状態において、吐止水装置２は、以下の状態Ａ及び状態Ｂを採りうる。
［状態Ａ］：取っ手兼用部１４０（第１分割体１１６ａ、第２分割体１１６ｂ）の第１の端面２５２ａが第１の係止面２５０ａに当接しており、第２の端面２５２ａは第２の係止面２５０ａに当接していない。
［状態Ｂ］：取っ手兼用部１４０（第１分割体１１６ａ、第２分割体１１６ｂ）の第２の端面２５２ａが第２の係止面２５０ａに当接しており、第１の端面２５２ａは第１の係止面２５０ａに当接していない。
【００９０】
前記装着状態において、取っ手兼用部１４０の長手方向位置には、自由度がある。前記装着状態において、取っ手兼用部１４０は、前記状態Ａにあるときの第１位置と、前記状態Ｂにあるときの第２位置と、前記第１位置と前記第２位置との間の中間位置とを採りうる。取っ手兼用部１４０が前記第１位置から前記第２位置までのどの位置にあっても、外形共通部２３２は嵌め込み部２４０、２４２に係合している。取っ手兼用部１４０の位置に前記第１位置から前記第２位置までの自由度があるため、取っ手兼用部１４０の装着容易性が高められている。また、両側の係止面２５０ａにより取っ手兼用部１４０の位置範囲が規制されているため、取っ手兼用部１４０は外れにくい
【００９１】
流体取扱装置１００では、第１分割体１１６ａと第２分割体１１６ｂとで外形が共通する部分（外形共通部２３２）が嵌め込み部２４０、２４２に嵌め込まれる。このため、第１分割体１１６ａを第１受入れ部２００及び第２受入れ部２０２のいずれにも装着することができ、第２分割体１１６ｂも第１受入れ部２００及び第２受入れ部２０２のいずれにも装着することができる。また、この外形共通部２３２を第１分割体１１６ａ及び第２分割体１１６ｂの両端部に設けているため、取っ手装着部１５０に装着される際の第１分割体１１６ａ及び第２分割体１１６ｂの向きは限定されない。よって、分割体１１６ａ、１１６ｂは、その向き及び位置を制約されることなく、取っ手装着部１５０に装着されうる。
【００９２】
取っ手装着部１５０（受入れ部２００、２０２）に収容部２５０が設けられている。収容部２５０に、終端部２５２が収容されうる。終端部２５２として、ジョイント部ｊ１のような異形部分が構成されうるが、この異形部分が嵌め込み部２４０、２４２に当接することが回避される。よって、外形共通部２３２が嵌め込み部２４０、２４２に嵌め込まれうる。
【００９３】
カバー１８０は、取っ手兼用部１４０の不意な脱落を防止する。取っ手兼用部１４０を把持して本体部１０６を持ち上げる通常の使用状態では、取っ手兼用部１４０が脱落する方向への力は作用しない。しかし、不意な衝突等により、取っ手兼用部１４０に取り外し方向への力が作用しうる。この場合でも、カバー１８０は、取っ手兼用部１４０の脱落を防止しうる。また、カバー１８０は、第２位置Ｐ２を維持できるため、取っ手兼用部１４０の取り付けの邪魔にならない。
【００９４】
グリップ部１１２の外郭を構成する外郭部材の材質として、樹脂（繊維強化樹脂を含む）及び金属が挙げられる。流体取扱装置１００の使用では、把持操作部１０４を振る動作など、グリップ部１１２に力が掛かる動作がなされる。グリップ部１１２には、この力の耐えうる強度が要求される。この観点から、比較的強度が高い樹脂及び繊維強化樹脂が好ましく用いられる。好ましい樹脂として、ポリフェニレンサルファイド（ＰＰＳ）が挙げられる。好ましい繊維強化樹脂として、ガラス繊維強化ＡＢＳ樹脂が挙げられる。ＡＢＳは、アクリロニトリルブタジエンスチレン共重合体を意味する。上記実施形態では、ガラス繊維強化ＡＢＳ樹脂が用いられた。
【００９５】
延在部１１６の主部ｍ１の材質として、樹脂（繊維強化樹脂を含む）及び金属が挙げられる。流体取扱装置１００の使用では、把持操作部１０４を振る動作など、延在部１１６に力が掛かる動作がなされる。また、延在部１１６が軽いことで、把持操作部１０４を振りやすくなり、把持操作部１０４の取り扱い性が高まる。延在部１１６には長くても軽く且つ強度を有する材質が好ましい。この観点から、延在部１１６の材質として、アルミニウム合金及びＣＦＲＰ（炭素繊維強化プラスチック）が好ましい。上記実施形態では、アルミニウム合金が用いられた。
【００９６】
先端部１２０のノズル部分の材質として、樹脂（繊維強化樹脂を含む）及び金属が挙げられる。成形性を考慮すると、樹脂が好ましい。水圧に耐えうる強度とコストとの兼ね合いの観点から、ＡＢＳ樹脂がより好ましい。上記実施形態では、ＡＢＳ樹脂が用いられた。
【００９７】
嵌め込み部２４０、２４２の材質として、樹脂（繊維強化樹脂を含む）及び金属が挙げられる。嵌め込みにおける弾性変形の観点から、樹脂が好ましい。嵌め込み部２４０、２４２は、本体部１０６の重量を支える必要があるため、本体部１０６の筐体部又は構造部等と一体であるのが好ましい。嵌め込み部２４０、２４２を含む成型部材の体積は大きくなる場合、材料コストを下げるのが好ましい。本体部１０６に作用する重力に耐えうる強度とコストとの兼ね合いの観点から、ＰＰ（ポリプロピレン）が好ましい。上記実施形態では、ＰＰ（ポリプロピレン）が用いられた。
【００９８】
カバー１８０の材質として、樹脂（繊維強化樹脂を含む）及び金属が挙げられる。第１位置Ｐ１と第２位置Ｐ２との切替の際の弾性変形を考慮すると、樹脂が好ましい。カバー１８０には、取っ手兼用部１４０の不意な脱落を防止するための強度が要求される。この強度とコストとの兼ね合いの観点から、ＰＰ（ポリプロピレン）が好ましい。上記実施形態では、ＰＰ（ポリプロピレン）が用いられた。
【００９９】
［流体］
流体取扱装置で吐出又は吸引される流体として、液体及び気体が挙げられる。液体として、水、薬液、液体燃料が例示される。薬液として、農薬含有液、肥料含有液及び消毒液が例示される。農薬含有液として、殺虫剤含有液、殺菌剤含有液及び除草剤含有液が例示される。液体燃料として、ガソリン、灯油、軽油及び重油が例示される。気体として、空気及び水蒸気が例示される。
【０１００】
［流体取扱装置］
流体取扱装置として、散水機、洗浄機、液体移送装置、掃除機及び噴霧器が例示される。散水機と洗浄機とは、共に水を吐出できるものであり、用途、吐出時の水圧によって区別されうる。上記実施形態のように、散水機と洗浄機とを兼ねた装置であってもよい。洗浄機として、中圧洗浄機及び高圧洗浄機が例示される。液体移送装置として、液体燃料を容器（１８リットル缶、ドラム缶等）から暖房機のタンクに移送する装置が例示される。掃除機の典型例は、電気掃除機である。掃除機として、真空洗浄機及びスチームクリーナーが例示される。また、掃除機（特に真空掃除機）のタイプとして、キャニスター型及びハンディー型が例示される。噴霧器として、蓄圧式及びポンプ式が例示される。蓄圧式噴霧器は、手動式であってもよいし、自動式であってもよい。
【０１０１】
［流体駆動部］
流体駆動部として、ポンプ、送風機、加圧機構部と圧力室とを備えた蓄圧機構部、等が挙げられる。流体駆動部は、タービン、プロペラ等を有している装置であってもよい。流体駆動部は、手動であってもよいし、自動であってもよい。自動の場合の動力源として、電気モーター及びエンジンが例示される。
【０１０２】
［本体部］
本体部は、２以上に分離していない一部材であってもよいし、２以上に分離していてもよい。上述した実施形態のように、本体部１０２が２以上に分離している場合、本体部１０８（第２の本体部）に取っ手兼用部１４０が取り付けられてもよい。
【０１０３】
上記実施形態では、取っ手兼用部１４０の両端部が取っ手装着部１５０に支持されているが、この形態に限定されない。例えば取っ手兼用部１４０は、片持ち状態で取っ手装着部１５０に取り付けられてもよい。取っ手兼用部１４０及び取っ手装着部１５０の強度及び剛性の観点から、取っ手兼用部１４０の両端部が取っ手装着部１５０に支持されるのが好ましい。上記実施形態では、取っ手兼用部１４０が円弧形状の凹部に嵌め込まれているが、この形態に限定されない。例えば取っ手装着部１５０が断面円形の孔を有しており、この孔に挿入されることで取っ手兼用部１４０が固定されてもよい。この場合、孔の直径を調整することで、取っ手装着部１５０が孔に嵌め込まれた状態とすることができる。
【０１０４】
以下の付記は、本開示に含まれる発明の一部である。
［付記１］
流体を吐出又は吸引する流体取扱装置であって、
流体を駆動する流体駆動部を備えた本体部と、前記本体部に接続されている把持操作部とを有しており、
前記把持操作部が、グリップ部と、前記流体が吐出又は吸引される流体口と、前記グリップ部と前記流体口との間に延びる延在部とを有しており、
前記把持操作部の少なくとも一部が、前記本体部に取り付けられて前記本体部の取っ手となる取っ手兼用部でもあり、
前記本体部が、前記取っ手兼用部を取り外し可能に取り付けうる取っ手装着部を有する流体取扱装置。
［付記２］
前記取っ手装着部に取り付けられた前記取っ手兼用部が、前記本体部の外形寸法の範囲内に配置されている付記１に記載の流体取扱装置。
［付記３］
前記取っ手兼用部が、装着方向に押圧することで前記取っ手装着部の弾性嵌合部に取り付けられ、前記装着方向とは逆方向である取り外し方向に引くことで前記弾性嵌合部から取り外される付記１又は２に記載の流体取扱装置。
［付記４］
第１位置と第２位置との相互移行が可能なカバーを更に有しており、
前記第１位置では、前記カバーは前記取っ手兼用部が前記取っ手装着部から外れるのを阻止しており、
前記第２位置では、前記カバーは前記取っ手装着部への前記取っ手兼用部の着脱を阻害しない付記１から３のいずれか１項に記載の流体取扱装置。
［付記５］
前記把持操作部が、前記延在部と前記延在部以外の部分とに分解されるように構成されており、
前記延在部の少なくとも一部が、前記取っ手兼用部である付記１から４のいずれか１項に記載の流体取扱装置。
［付記６］
前記延在部が、複数の分割体に分割されるように構成されており、
前記複数の分割体の少なくとも１つが前記取っ手兼用部である付記５に記載の流体取扱装置。
［付記７］
前記複数の分割体の全てが前記取っ手兼用部である付記６に記載の流体取扱装置。
［付記８］
前記複数の分割体が、第１分割体と第２分割体とを含んでおり、
前記第１分割体及び前記第２分割体が、前記取っ手兼用部であり、
前記第１分割体と前記第２分割体とが、互いに平行な状態で前記取っ手装着部に装着される付記６又は７に記載の流体取扱装置。
［付記９］
前記第１分割体が、前記第２分割体側に押圧されることで前記取っ手装着部に嵌め込まれ、
前記第２分割体が、前記第１分割体側に押圧されることで前記取っ手装着部に嵌め込まれる付記８に記載の流体取扱装置。
［付記１０］
前記取っ手装着部が、前記取っ手兼用部の一端部が取り付けられる第１装着部と、前記取っ手兼用部の他端部が取り付けられる第２装着部とを有しており、
前記第１装着部及び前記第２装着部のそれぞれが、嵌め込み部と収容部とを有しており、
前記取っ手兼用部の一端部及び前記取っ手兼用部の他端部が、外形共通部と、外形共通部よりも長手方向外側に位置する終端部とを有しており、
前記外形共通部が前記嵌め込み部に嵌め込まれ、前記終端部が前記収容部に収容される付記１から９のいずれか１項に記載の流体取扱装置。
［付記１１］
前記本体部から延びる電源コードを更に有しており、
前記本体部が、前記電源コードを巻き付けることができる巻き付け部を有しており、
前記取っ手兼用部が、前記巻き付け部に巻き付けられた前記電源コードの外側に位置する付記１から１０のいずれか１項に記載の流体取扱装置。
［付記１２］
前記流体が水であり、
前記流体駆動部が加圧ポンプであり、
前記把持操作部が吐水ノズルである付記１から１１のいずれか１項に記載の流体取扱装置。
【０１０５】
本願には、請求項（独立形式請求項を含む）に係る発明に含まれない他の発明も開示されている。本願の請求項及び実施形態に記載されたそれぞれの形態、部材、構成及びそれらの組み合わせは、それぞれが有する作用効果に基づく発明として認識される。
【０１０６】
前記各実施形態で示されたそれぞれの形態、部材、構成等は、これら実施形態の全ての形態、部材又は構成をそなえなくても、個々に、本願請求項に係る発明をはじめとした、本願記載の全発明に適用されうる。
【符号の説明】
【０１０７】
１００・・・流体取扱装置
１０４・・・把持操作部
１０６・・・本体部
１１０・・・流体駆動部
１１２・・・グリップ部
１１６・・・延在部
１１６ａ・・・第１分割体
１１６ｂ・・・第２分割体
１２０・・・先端部（第２の先端部と交換可能な第１の先端部）
１２２・・・先端部（第１の先端部と交換可能な第２の先端部）
１３０・・・第１端部
１３２・・・第２端部
１３４・・・中間部
１４０・・・取っ手兼用部
１５０・・・取っ手装着部
１５２・・・第１装着部
１５４・・・第２装着部
１６０・・・電源コード
１８０・・・カバー
１８２・・・第１カバー
１８４・・・第２カバー
２００・・・第１受入れ部
２０２・・・第２受入れ部
２３０・・・非外形共通部
２３２・・・外形共通部
２４０・・・嵌め込み部
２４２・・・嵌め込み部
２５０・・・収容部
２５２・・・終端部
ＲＰ１・・・最小包囲直方体
【要約】
【課題】把持操作部の一部を本体部の取っ手とすることができる流体取扱装置の提供。
【解決手段】流体を吐出又は吸引する流体取扱装置１００である。流体取扱装置１００は、流体を駆動する流体駆動部を備えた本体部１０６と、本体部１０６に接続されている把持操作部１０４とを有している。把持操作部１０４は、グリップ部１１２と、前記流体が吐出又は吸引される流体口１１４と、グリップ部１１２と流体口１１４との間に延びる延在部１１６とを有している。把持操作部１０４の少なくとも一部が、本体部１０６に取り付けられて本体部１０６の取っ手となる取っ手兼用部１４０でもある。本体部１０６は、取っ手兼用部１４０を取り外し可能に取り付けうる取っ手装着部１５０を有する。
【選択図】図３【図１】
0006775744.tif 000002
【図２】
0006775744.tif 000003
【図３】
0006775744.tif 000004
【図４】
0006775744.tif 000005
【図５】
0006775744.tif 000006
【図６】
0006775744.tif 000007
【図７】
0006775744.tif 000008
【図８】
0006775744.tif 000009
【図９】
0006775744.tif 000010
【図１０】
0006775744.tif 000011
【図１１】
0006775744.tif 000012
【図１２】
0006775744.tif 000013
【図１３】
0006775744.tif 000014